(57)【要約】      （修正有）【課題】多灯型のシャンデリアなどの照明器具であっても、ＬＥＤ光源を組み込んで省エネルギ化及び長寿命化を図るとともに、その装飾性を損なうことが無い照明器具を提供する。【解決手段】照明器具としてのシャンデリア１は、天井（ＣＬ）に垂下されるピラー部２１と、光透過性を有し、内部を長さ方向に貫通する貫通孔を有し、且つ、前記ピラー部に一端が取り付けられた複数のアーム５１とを備える。複数のアームそれぞれの貫通孔の少なくとも一部に、且つ、長尺状のフレキシブル基板と当該基板上に複数個、配設されたＬＥＤとを有するフレキシブルＬＥＤ６０が配設される。前記複数のアームそれぞれの前記ピラー部への取付側とは反対の先端部にパワーＬＥＤ７４が配設される。このパワーＬＥＤは、複数のアームそれぞれの貫通孔を通して配線される電源供給用ラインに接続されている。【選択図】図１
0003178351.tif 000002
【実用新案登録請求の範囲】
【請求項１】
取付部分に垂下されるピラー部と、
光透過性を有し、内部を長さ方向に貫通する貫通孔を有し、且つ、前記ピラー部に一端が取り付けられた複数のアームと、
前記複数のアームそれぞれの貫通孔の少なくとも一部に配設され、且つ、長尺状のフレキシブル基板と当該基板上に複数個、配設されたＬＥＤとを有する第１のＬＥＤ光源と、
前記複数のアームそれぞれの貫通孔を通して配線される電源供給用ラインに接続され、且つ、当該アームそれぞれの前記ピラー部への取付側とは反対の先端部に配置された第２のＬＥＤ光源と、を備えたことを特徴とする照明器具。
【請求項２】
請求項１に記載の照明器具において、
前記複数のアームそれぞれの先端部に取り付けられ、前記第２のＬＥＤ光源が発した光を所望の方向に反射する反射板を備えたことを特徴とする照明器具。
【請求項３】
請求項１又は２に記載の照明器具において、
前記ピラー部は、光透過性を有するとともに、内部を長さ方向に貫通する貫通孔を有し、
前記第１のＬＥＤ光源を前記ピラー部の貫通孔にも配設したことを特徴とする照明器具。
【請求項４】
請求項１〜３の何れか一項に記載の照明器具において、
前記ピラー部を保持し、且つ、当該照明器具を取り付ける対象となる部分に取り付けるフランジと、
このフランジの内部に収容され、且つ、前記第１及び第２のＬＥＤ光源を駆動するドライバと、とを備えたことを特徴とする照明器具。
【請求項５】
請求項４に記載の照明器具において、
前記第１のＬＥＤ光源のＬＥＤと前記第２のＬＥＤ光源は異なる２種類のＬＥＤをあり、
前記ドライバは、少なくとも、前記第１及び第２のＬＥＤ光源を各別に駆動する第１及び第２のドライバである、ことを特徴とする照明器具。
【請求項６】
請求項１〜５の何れか一項に記載の照明器具において、
前記複数のアームそれぞれの貫通孔において前記フレキシブル基板の背面に前記ラインが並走するように配設されている、ことを特徴とする照明器具。
【請求項７】
請求項１〜６の何れか一項に記載の照明器具において、
当該照明器具は室内の天井から吊り下げられる多灯型のシャンデリアであり、
前記複数のアームそれぞれの貫通孔において前記フレキシブル基板に実装された前記第１のＬＥＤ光源が下側を向くとともに、前記ラインが並走する背面が上側を向くように当該ラインと一体に当該フレキシブル基板を配置した、ことを特徴とする照明器具。
【考案の詳細な説明】
【技術分野】
【０００１】
本考案は、室内を照明するシャンデリアなどの照明器具に係り、とくに、ＬＥＤ光源を搭載した照明器具に関する。
【背景技術】
【０００２】
近年、省エネルギの要請から、シャンデリアやブラケットと呼ばれる照明器具の分野においても、例えば実用新案登録文献１や実用新案登録文献２に見られるように、ＬＥＤ（Light Emitting Diode）ランプが用いられるようになっている。
【０００３】
このうち、実用新案登録文献１には、ＬＥＤランプの優位性、すなわち、省電力及び長寿命を活かしつつ、照度及び輝度を上げるとともに配光制御を行うための一例が開示されている。また、実用新案登録文献２には、光源としてＬＥＤランプの放射光を導光する透明樹脂からなる導光部とを備えた多灯型の天井吊り下げ灯が例示されている。このように、ＬＥＤランプの優位性、すなわち、省電力及び長寿命を活かした照明器具が家庭、レストラン、ホテルなどにおいて使用できるようになっている。
【先行技術文献】
【特許文献】
【０００４】
【特許文献１】特開２００８−５２９３９
【特許文献２】特開２０１０−１５３２１５
【考案の概要】
【考案が解決しようとする課題】
【０００５】
その一方で、室内の天井に取り付けられる洋風、和風のシャンデリアと言われる、特に、装飾的要素をも重んじる照明器具の分野がある。シャンデリアは通常、天井に取り付けられる本体と、この本体に取り付けられる複数のアームとを有し、各アームの先端に照明用の光源が取り付けられる。これにより、光源が本体から離れて位置し、空間的に広がりのある照明器具になる。本体は、チェーンなどの吊り下げ具により天井から吊り下げられる場合もあれば、天井に直に取り付けられる場合もある。
【０００６】
このような照明器具においても、そのデザイン性や装飾性を維持しながらも、省エネルギや長寿命化への要求を満たすことも重要である。しかしながら、従来のシャンデリアに対して、ＬＥＤ光源をどのように組み込むかという具体的な提案はなされていなかった。
【０００７】
本考案は、上記事情に鑑みてなされたもので、装飾性を重視する多灯型のシャンデリアなどの照明器具であっても、ＬＥＤ光源を組み込んで省エネルギ化及び長寿命化を図るとともに、その装飾性を損なうことが無いようにすることを、その目的とする。
【課題を解決するための手段】
【０００８】
上述した目的を達成するために、本考案は、その一態様として、取付部分に垂下されるピラー部と、光透過性を有し、内部を長さ方向に貫通する貫通孔を有し、且つ、前記ピラー部に一端が取り付けられた複数のアームと、前記複数のアームそれぞれの貫通孔に配設され、且つ、長尺状のフレキシブル基板と当該基板上に複数個、配設されたＬＥＤとを有する第１のＬＥＤ光源と、前記複数のアームそれぞれの貫通孔を通して配線される電源供給用ケーブルに接続され、且つ、当該アームそれぞれの前記ピラー部への取付側とは反対の先端部に配置された第２のＬＥＤ光源と、を備えたことを特徴とする。
【考案の効果】
【０００９】
本考案によれば、装飾性を重視する多灯型のシャンデリアなどの照明器具であっても、ＬＥＤ光源を組み込んで、点灯時には照明器具の全体から光を出すようにしたので、その装飾性を損なうこと無く、省エネルギ化及び長寿命化を図ることができる。
【図面の簡単な説明】
【００１０】
添付図面において、
【図１】図１は、本考案の第１の実施形態に係るシャンデリアの外観を説明する一部破断した側面図、
【図２】図２は、第１の実施形態に係るシャンデリアの、図II-II線に沿った平面図、
【図３】図３は、第１の実施形態に係るシャンデリアの要部を拡大して示す断面図、
【図４】図４は、第１の実施形態に係るシャンデリアのアーム先端部のＬＥＤ光源の構造と光の伝搬を説明する図、
【図５】図５は、図３に示すＶＡ−ＶＡ線に沿った断面図（図５（Ａ））及びＶＢ−ＶＢ線に沿った断面図、
【図６】図６は、第１の実施形態に係るシャンデリアの電気系統を説明する図、
【図７】図７は、本考案の第２の実施形態に係るシャンデリアの要部を拡大して示す断面図、である。
【考案を実施するための形態】
【００１１】
以下、添付図面を参照して、本考案の実施形態を説明する。
（第１の実施形態）
【００１２】
図１〜図６を参照して、第１の実施形態に係わる照明器具を説明する。この照明器具は、室内の天井から吊り下げられる洋風の８灯アーム型シャンデリアとして実施されている。
【００１３】
図１に示すように、このシャンデリア１は住宅の天井ＣＬに吊り下げて使用されて使用される。このシャンデリア１には、天井の裏側に敷設された図示しない電源ケーブルを介して商用電源が供給されている。このシャンデリア１は、白熱電球や蛍光灯の代わりに、ＬＥＤ（発光ダイオード）を光源として採用し、従来のシャンデリアの概念とは異なり、シャンデリアのボディ及びアームを含めた全体が光源として光るようにしている。これにより、ＬＥＤの長寿命・高信頼性、低消費電力といった優位性を享受しつつ、装飾性にも優れている。図示しないリモコンスイッチや手動スイッチを操作することで、シャンデリア１への商用電力をオンオフさせることができ、かかるＬＥＤをオンオフさせてシャンデリア１の点灯、消灯が可能である。
【００１４】
以下、このシャンデリア１の構造を詳述する。このシャンデリア１は、図１に示すように、室内の天井面に固設する金属製のスタット１１、このスタット１１に着脱自在に取り付けられ且つこのスタット１１を覆う金属製のフランジ１２と、このフランジ１２に固着・垂下させた金属製のチェーン１３と、このチェーン１３に垂下させたシャンデリア本体１４とを備える。天井ＣＬの裏側に配線された商用電源のケーブル（図示せず）は、ＬＥＤ駆動用のドライバ１５Ａ、１５Ｂ、１５Ｃに並列に接続され、このドライバ１５Ａ、１５Ｂ、１５Ｃは６芯ケーブル１６に接続される。この６芯ケーブル１６がスタット１１及びフランジ１２の穴を介して、更にチェーン１３の隙間を通して下側に配線されている。この６芯ケーブル１６は、チェーン１３の末端のチェーンリング１３Ａの位置からシャンデリア本体１４に潜り込むようになっている。
【００１５】
シャンデリア本体１４は、耐荷重を考慮して金属製部材を一部に使用しているものの、光源に関わる支柱部分及びアーム部分は透光性を有する例えばガラス製の部材で構成されており、全体の印象として、ガラス製の洋風シャンデリアの仕上げになっている。
【００１６】
具体的には、シャンデリア１４は、その中心部に位置するセンターピラー部（ピラー部）２１と、このセンターピラー部２１から等角度間隔で横方向に延びる８本のアーム部２２とを備える（図２参照）。
【００１７】
センターピラー部２１は、その荷重を支持するとともに６芯ケーブル１６を内挿させるセンターパイプ３１（図３参照）と、このセンターパイプ３１を内挿させるように、上から順に積層・配置されたガラス製のチェーンリングカバー３２、上側センターコラム３３、上側センターボベッチュ３４、下側センターボベッチュ３５、下側センターコラム３６、及びジョイント部ボベッチュ３７と、金属製のボベッチュカバー３８と、金属製のエンドピース３９とを備える。センターパイプ３１の上端部には、前記チェーンリング１３Ａのネジ部分がネジ込まれ、その下端部はエンドピース３９によりネジ止めされる。この結果、シャンデリア本体１４の荷重がセンターパイプ３１により支持され、そのセンターパイプ３１の周りをガラス製のパーツが覆っており、そのセンターパイプ３１とそれらのガラス製パーツとの間の貫通する隙間ＳＰ（貫通孔）に、図１，図２及び図５（Ａ）に示すように、第３のＬＥＤ光源としてのフレキシブルＬＥＤ４０が３本、配設されている。
【００１８】
このフレキシブルＬＥＤ４０は、フレキシブルな長いプリント基板４０Ａの一方の面に昼白色のＬＥＤ４０Ｂが９０球、直列接続で実装されるともに、その他方の面に、かかる直列接続の配線がなされ、例えば定格１２Ｖ，４３０ｍＡを有する。この３本のフレキシブルＬＥＤ４０が、図５に示すように、センターパイプ３１の周りに殆ど等角度間隔になるように配設されている。このため、これらのフレキシブルＬＥＤ４０が点灯すると、その光は、上述したガラス製パーツを透過して外部に伝搬する。このため、図３の矢印Ａで示すように、シャンデリア本体１４がその全周から、しかもその上下に渡って光る。
【００１９】
上記ジョイント部ボベッチュ３７について更に詳述する。このジョイント部ボベッチュ３７は御椀型に形成され、その内側の空間にジョイント部４１が配置されている。このジョイント部４１は、円板状で金属製のボディプレート４２と、ハーネス基板４３と、御椀型の金属製のカバー４４とを備える。前述したセンターパイプ３１は、このジョイント部４１において、金属製のジョイント４５により上下に分割・接続されている。このため、ジョイント４５とセンターパイプ３１の上側部分との間で前記ボディプレート４２及びハーネス基板４３を上下に固定支持している。また、ジョイント４５とセンターパイプ３１の下側部分との間で前記カバー４４を固定支持している。このカバー４４の上端の円周部は前述したボディプレート４２の円周部分を支持するように、そのサイズが設定されている。
【００２０】
ハーネス基板４３には、複数の配線用コネクタ４６が実装され、このコネクタ３６にＬＥＤへの必要なハーネス４７が接続されている。このハーネス基板４３を介して、後述するように、６芯ケーブル１６を介して供給された駆動電力が、センターピラー部２１及び複数のアーム部２２それぞれのＬＥＤ光源に並列に供給され、また複数のアーム部２２それぞれの先端部のＬＥＤ光源に直列に供給される。
【００２１】
前述した８本のアーム部２２の夫々は、図１，３に示すように、略Ｓ字状に湾曲し且つ中空のガラス製のアーム５１と、その先端部に光源部として設けたアーム先端部５２とを備える。各アーム５１の根本部は取付部５３を介して前記ボディプレート４２の円周端の近傍に固設されている。このため、８本のアーム５１は図２に示すように、平面視においてセンターピラー部２１を中心に等角度間隔でその水平面方向に伸びている。この８本のアーム５１の夫々の貫通する中空部ＴＨ（貫通孔）に、第１のＬＥＤ光源としてのフレキシブルＬＥＤ６０が配設されている（図５（Ｂ）参照）。
【００２２】
このフレキシブルＬＥＤ６０も前述したフレキシブルＬＥＤ４０と同様に、フレキシブルな長いプリント基板６０Ａの一方の面に昼白色のＬＥＤ６６Ｂが９９球、直列接続で実装されるともに、その他方の面に、かかる直列接続の配線がなされ、例えば定格１２Ｖ，４８５ｍＡを有する。このフレキシブルＬＥＤ６０は、そのＬＥＤ６６Ｂを実装している面が各アーム５１の湾曲に沿いながらも、その外側で且つ下方を向くように配設されている。
【００２３】
このため、各アーム５１のフレキシブルＬＥＤ６０が点灯すると、その光は、そのアーム５１に肉厚部分を透過して外部に伝搬する。このため、図３の矢印Ｂで示すように、各アーム５１の長さ方向の全体から下方に向けて光る。
【００２４】
アーム先端部５２は、図３に示すように、各アーム５１の先端に取り付けた例えば金属製のスペーサ７１と、このスペーサ７１に上向きに載置された略御椀型のボベッチュ７２とを備える。さらに、アーム先端部５２は、スペーサ７１の先端側に固設されるとともにボベッチュ７２に収容されるように配置された金属製の穂先部７３と、第２のＬＥＤ光源としてのパワーＬＥＤ７４と、光反射用の金属製のプレート７５と、光を透過・散乱させる剣ビーズ７６とを備える。つまり、各アーム５１の先端部に、基板７４Ｘ上に１つ実装されたパワーＬＥＤ７４が上向きで配設されている。このパワーＬＥＤ７４の定格は例えば、１Ｗである。
【００２５】
このパワーＬＥＤ７４に電力を供給するラインは、このパワーＬＥＤ７４の基板７４Ｘに接続されたリード線７４Ａと、前述したフレキシブルＬＥＤ６０のフレキシブル基板６０Ａの裏面に、同ＬＥＤ球６０Ｂのためのプリント配線（図示せず）とは別に実装したプリント配線（図示せず）とによって給電される。つまり、フレキシブルＬＥＤ６０のフレキシブル基板６０Ａの裏面は、第２，第３のＬＥＤ光源への給電のプリント配線に兼用されている。
【００２６】
なお、パワーＬＥＤ７４のための配線をフレキシブルＬＥＤ６０とは別に設けてもよい。その場合、パワーＬＥＤ７４のための給電線は、フレキシブルＬＥＤ６０の裏面に沿って並走するように各アーム５１に挿入される。その場合、さらに、その給電線をフレキシブルＬＥＤに接着剤で予め接着したり縛ったりしておくことで、アーム５１へのそれらの挿入ための作業工程が簡単化される。
【００２７】
図４に、上述した穂先部７３、パワーＬＥＤ７４、プレート７５、及び剣ビーズ７６の位置と光の伝搬経路の関係を示す。穂先部７３は、穴部を形成した底面を持ち且つ上部開放した円柱状の金属製の部材である。この穂先部７３の底面の穴部にはネジ山が形成され、このネジ山にスペーサ７１の上部のネジ部７１Ａに捻じ込まれる。これにより、穂先部７３はボベッチュ７２の内部空間内に固設される。穂先部７３の内周面には段部７３Ａが形成され、この段部７３Ａに前記パワーＬＥＤ７４を実装した基板７４Ｘが配置されている。この基板７４Ｘを、樹脂製のリングシート７７及び金属製のリングシート７８を介して、バネ７９が上から押圧するようになっている。バネ７９は、穂先部７３の内周面の別の段部に嵌め込んである。これにより、基板７４Ｘ、すなわちパワーＬＥＤ７４は、穂先部７３の内部に上向きに固定される。
【００２８】
さらに、２つのリングシート７７，７８のそれらの中心部には、それぞれ、所定径の穴部が形成されているので、パワーＬＥＤ７４からの発光はそれらの穴部を通過して上向きに拡散・伝搬する。
【００２９】
プレート７５は、ボベッチュ７２のほぼ上端面の内側において水平に配置されている。このボベッチュ７２の中央部に形成された穴部には、剣ビーズ７６が立設されており、この剣ビーズ７６は抜け防止具８０により脱落しないように留められている。
【００３０】
このため、各アーム５１の先端部においてパワーＬＥＤ７４が点灯すると、その光は、リングシート７７，７８の穴部を通過して上方に広がって伝搬する。その光の一部は図３，４の矢印Ｃで示す如く、プレート７５で反射される。この反射光はボベッチュ７２を透過して斜め下方に伝搬する。一方の残りのほぼ直上する光は剣ビーズ７６を透過し、その先端部から矢印Ｄで示す如く外部の四方に拡散する。この結果、パワーＬＥＤ７４が点灯すると、各アーム５１のアーム先端部５２の全体が上下四方に光ることになる。
【００３１】
図６に、このシャンデリア１の全体の電気的なブロック図を示す。天井裏まで届いている商用電源は、ドライバ１５Ａ、１５Ｂ、１５Ｃに並列に供給される。これらのドライバ１５Ａ、１５Ｂ、１５Ｃはフランジ１２に収容されているので、スペースの有効理由が図られている。このドライバ１５Ａ、１５Ｂ,１５Ｃで生成されたＬＥＤ駆動用の電力は、６芯ケーブル１６を介してハーネス基板４３まで送られる。この６芯ケーブル１６はセンターパイプ３１に内挿されているため、照明効果や美観に影響しない。
【００３２】
ハーネス基板４３において、複数のコネクタ４６及び複数のハーネス４７により、６芯ケーブル１６のうちの２本のケーブルを通して第１のドライバ１５Ａから供給された一定電圧の駆動電力が第３のＬＥＤ光源である３本のフレキシブルＬＥＤ４０及び第１のＬＥＤ光源の一部である１本のフレキシブルＬＥＤ６０に並列に供給される。同様に、６芯ケーブル１６の別の２本のケーブルを通して第２のドライバ１５Ｂから供給された一定電圧の駆動電力が第１のＬＥＤ光源である残り７本のフレキシブルＬＥＤ６０に並列に供給される。さらに、６芯ケーブル１６の残り２本のケーブルを通して第３のドライバ１５Ｃから供給された定電流の駆動電力が第２のＬＥＤ光源である８個のパワーＬＥＤ７４に直列に供給される。
【００３３】
なお、ドライバの種類（定電圧、定電流）や数は、使用するＬＥＤ光源の種類及び数並びに消費電力のバランスを考慮して決められる。
【００３４】
本実施形態に係るシャンデリア１は、以上のように構成されているため、ＬＥＤ光源を駆使してシャンデリア本体（ボディ）、アーム、及びアーム先端部の全体から照明できる。これにより、照明機能と共に装飾性に優れた多灯型のシャンデリアを提供できる。特に、シャンデリア本体には、図５に示すように、その縦軸方向の周りに等角度間隔でフレキシブルＬＥＤ４０を３本、配列していることから、視覚的には照明の方向性がなく、どの方向からみても殆ど同じ照明機能が得られる。
【００３５】
しかも、使用する光源が全てＬＥＤ光源であるので、ＬＥＤ照明の有する低消費電力及び長寿命化も享受できる。
【００３６】
さらに、センターピラー部２１、アーム５１、及びアーム先端部５２の全てのＬＥＤ光源への配線は一度、センターピラー部２１の下部に位置するボベッチュ３７に集められ、そこで分枝される。このため、分枝のための配線作業が１か所で済むので、その作業が効率化される。
【００３７】
さらに、アーム５１の先端部に位置するパワーＬＥＤ７４への給電線の一部は、アーム５１の内部に内挿させるフレキシブルＬＥＤ６０のプリント基板６０Ａの一部を利用している。このため、パワーＬＥＤ７４への配線作業の省力化が図られる。
【００３８】
加えて、各アーム５１のアーム先端部５２では、単にパワーＬＥＤ７４を発光させるだけではなく、その発光をプレート７５及び剣ビーズ７６によって上下左右に立体的に拡散するようにしている。このため、各アーム５１の先端には、あたかも従来の白熱電球が配置されているかの如く、その照明効果が発揮できる。
【００３９】
なお、本実施形態に係るシャンデリア１には、図１に示すように、センターピラー部２１にアクセサリとして付加したボベッチュ９０を設けたほか、このボベッチュ９０を含め、他のボベッチュに涙ビーズ９１を垂下させている。このため、この涙ビーズ９１が光を更に反射・散乱させて装飾効果及び照明効果を一層高めている。
（第２の実施形態）
【００４０】
図７を参照して、第２の実施形態に係わる照明器具を説明する。この照明器具は、室内の天井ＣＬに直付けされる洋風の６灯アーム型シャンデリアとして実施されている。
【００４１】
図７に示すように、このシャンデリア１００は住宅の天井ＣＬからパイプを使って直付けしているタイプである。このシャンデリア１００は、前述した第１の実施形態に係るシャンデリア１と比較すると、構造面では、灯数が６灯であってアーム先端が下向きであること、ＬＥＤ光源をその６本のアームにのみ内挿させていること、及び、アーム先端の光源とＬＥＤ電球（定格電圧１００Ｖ）を採用していることが、主に相違している。この相違を中心に説明する。
【００４２】
図７に、この直付けタイプのシャンデリア１００の一部の断面を示す。同図に示すように、シャンデリア１００は、天井ＣＬの固定される金属製のスタット１１１、このスタット１１１を覆う金属製の御椀形のフランジ１１２、このフランジ１１２の下面を覆う装飾用の御椀形のガラスカバー１１３と、スタット１１２に固設されて垂下される金属製のパイプ１１４と、パイプ１１４の下端部を覆うように同パイプに取り付けられる金属製の御椀形ボベッチュ１１５と、パイプ１１４にボベッチュ１１５を固定するエンドピース１１６とを備える。パイプ１１４及びボベッチュ１１５がセンターピラー部（ピラー部）として機能する。
【００４３】
フランジ１１２には、ＬＥＤ光源を駆動させるドライバ１２１が設置される。ドライバ１２１の出力ケーブル１１２Ａ及び商用電源のケーブル１２２がパイプ１１４を介してボベッチュ１１５まで到達している。
【００４４】
このボベッチュ１１５において、パイプ１１４はジョイント１１４Ａを介して上下に分割されており、そのジョイント１１４Ａの穴部から上述したケーブル１１２Ａ，１２２が引き出される。このジョイント１１４Ａとパイプ１１４の上側部分の下端部との繋ぎ目に、ボディプレート１２３及びハーネス基板１２４とが上下に分離して固設されている。
【００４５】
ボディプレート１２３には、前述した第１の実施形態のアーム設置法と同様に、６本の円弧状のガラス製で且つ透光性のある、例えば乳白色のアーム１３１が６本、その先端部が下向きになるように配設されている。つまり、図示しないが、センターピラー部を平面視した場合、６本のアーム１３１がセンターピラー部から横方向に等角度間隔で空間的に伸びた広がりを提供している。
【００４６】
６本のアーム１３１のそれぞれの先端部には、受け皿１３１ＡとＥ１７形ソケット１３２が固設されている。この受け皿１３１Ａとソケット１３２との間にガラス製のグローブ１３３の一端が挿入され、この挿入状態でリング１３２Ａがソケット１３２に螺合される。この結果、６本のアーム１３１のそれぞれの先端に下面開放のグローブ１３３が取り付けられる。
【００４７】
６本のアーム１３１のそれぞれの中空部には、ＬＥＤ光源としてのフレキシブルＬＥＤ１４１が前述した第１の実施形態と同様に挿入・配置されている。つまり、このフレキシブルＬＥＤ１４１は、フレキシブルな長いプリント基板１４１Ａの一方の面に昼白色のＬＥＤ１４１Ｂが９０球、直列接続で実装されるともに、その他方の面に、かかる直列接続の配線がなされ、例えば定格１２Ｖ，２１０ｍＡを有する。このフレキシブルＬＥＤ１４１は、そのＬＥＤ１４１Ｂを実装している面が各アーム１３１の湾曲に沿いながらも、その外側で且つ下方を向くように配設されている。
【００４８】
このフレキシブルＬＥＤ１４１は、前述したハーネス基板１２４に実装した複数のコネクタ１４２を介して前述した出力ケーブル１２１Ａに接続されている。この複数のコネクタ１４２により、各アーム１３１に挿入されたフレキシブルＬＥＤ１４１に、ドライバ１２１からの駆動電圧が並列に供給される。
【００４９】
また、このフレキシブルＬＥＤ１４１のプリント基板１４１Ａの裏面には。その裏面の湾曲形状に沿ってリード線１４３が同プリント基板１４１Ａに並走するように配置されている。このリード線１４３は、例えばプリント基板１４１Ａの裏面の絶縁層に接着されたり、ビニールチューブで縛りつけられたりしている。
【００５０】
このリード線１４３の一端は、ボベッチュ１１５の内部空間に置かれるコネクタ１４４を介して、前述した商用電源を受けたケーブル１２２に接続される。このリード線１４４の他端は、前述したソケット１３２に電極に接続されている。このため、ソケット１３２に取り付けられたＬＥＤ光源としてのＬＥＤ電球１４５には商用電源１００Ｖが供給され、その電圧でＬＥＤ電球１４５が点灯する。
【００５１】
このシャンデリア１００における電気回路も前述した第１の実施形態のそれと同等であり、使用するフレキシブルＬＥＤの数や電力容量に応じて、ドライバの数、容量なども変わる。
【００５２】
このため、本実施形態に係るシャンデリア１００においても前述した第１の実施形態で得られた作用効果とほぼ同等のものが得られる。アーム１３１はガラス製であって透光性があるので、前述したものとは異なる風情の透過光が得られる。また、アーム先端部には下向きにＬＥＤ電球を取り付けている。このため、点灯時には、異なる２種類のＬＥＤ光源によりアーム全体から光が発せられる。このため、天井ＣＬへ直付けされるシャンデリア１００から、ほぼその全体が光っており、前述した作用効果が得られる。とくに、アーム１３１からの発光は淡いものになるので風情も十分である。
【００５３】
なお、本考案は前述した第１、第２の実施形態で説明したシャンデリアの形状に限定されるものではなく、センターピラー部としてピラー部と複数のアーム部とを備えたものであれば、実用新案登録請求の範囲の要旨を逸脱しない範囲で適宜に変形して実施可能である。例えば、前述した第１、第２の実施形態では、各アームをその長さ方向に貫通する孔の全体に渡ってＬＥＤ光源を配置するとしたが、その一部に配置する構造であってもよい。
【符号の説明】
【００５４】
１、  ２００  シャンデリア（照明器具）
２１  センターピラー部（ピラー部）
２２  アーム部
４０  フレキシブルＬＥＤ
５１  アーム
６０  フレキシブルＬＥＤ
７４  パワーＬＥＤ
１１４  パイプ（ピラー部）
１１５  ボベッチュ（ピラー部）
１３１  アーム
１３３  グローブ
１４１  フレキシブルＬＥＤ
１４５  ＬＥＤ電球
ＳＰ  隙間（貫通孔）
ＴＨ  中空部（貫通孔）
【図１】
0003178351.tif 000003
【図２】
0003178351.tif 000004
【図３】
0003178351.tif 000005
【図４】
0003178351.tif 000006
【図５】
0003178351.tif 000007
【図６】
0003178351.tif 000008
【図７】
0003178351.tif 000009